(57)【特許請求の範囲】
【請求項１】
断路器の固定側コンタクト、あるいは接地開閉器の固定側コンタクトに接触する断路器・接地開閉器共用の可動側回転ブレードと、この可動側回転ブレードの一端に取り付けられ、上記可動側回転ブレードを回転運動させるための回転軸と、この回転軸を回転させるための駆動手段とを有する開閉器用操作装置において、
上記回転軸に取り付けられ、外周の一部に円弧状の溝を有する第１のカムと、外周の一部に円弧状の溝を有し、この溝の一端と上記第１のカムに設けられた溝の一端がほぼ一致する位置に並んで上記回転軸に取り付けられた第２のカムと、上記第１のカムに設けられた溝に当接する当接部を有するとともに、この溝に当接した状態を保持可能な第１のロック手段と、上記第２のカムに設けられた溝に当接する当接部を有するとともに、この溝に当接した状態を保持可能な第２のロック手段とを有する回転制御手段を備え、
上記可動側回転ブレードを上記断路器の固定側コンタクト、あるいは上記接地開閉器の固定側コンタクトのいずれか一方にのみ接触可能とするように、上記回転軸の回転を規制することを特徴とする開閉器用操作装置。
【請求項２】
可動側回転ブレードは、上記断路器の固定側コンタクトと上記接地開閉器の固定側コンタクトから等距離の位置を回転中心とし、上記第１のカム、上記第２のカムに設けられた円弧状の溝の長さが回転中心となす角度を、上記断路器の固定側コンタクトから上記接地開閉器の固定側コンタクトまで回転させて接触させるために必要な回転角度のほぼ１／２とすることを特徴とする請求項１記載の開閉器用操作装置。
【請求項３】
上記可動側回転ブレードは、上記断路器の固定側コンタクトまで到達するのに必要な回転角度と、上記接地開閉器の固定側コンタクトまで到達するのに必要な回転角度が等しくなる位置を中立の位置とし、その中立の位置から上記可動側回転ブレードを上記断路器の固定側コンタクトに接触する位置まで回転させたときに、上記第１のロック手段の当接部と上記第１のカムが当接する位置に、この当接部と嵌合する溝を設けたことを特徴とする請求項２記載の開閉器用操作装置。
【請求項４】
上記可動側回転ブレードは、上記断路器の固定側コンタクトまで到達するのに必要な回転角度と、上記接地開閉器の固定側コンタクトまで到達するのに必要な回転角度が等しくなる位置を中立の位置とし、その中立の位置から上記可動側回転ブレードを上記接地開閉器の固定側コンタクトに接触する位置まで回転させたときに、上記第２のロック手段の当接部と上記第２のカムが当接する位置に、この当接部と嵌合する溝を設けたことを特徴とする請求項２、または３記載の開閉器用操作装置。
【発明の詳細な説明】
【０００１】
【発明の属する技術分野】
この発明は、発電所、変電所の電気所に使用される断路器、接地開閉器等の開閉操作の鎖錠に関するものである。
【０００２】
【従来の技術】
図７は実開昭６４−５６１１６号公報に示された従来の開閉器用操作装置の鎖錠装置を示す構成図である。図８は、開閉器用操作装置が鎖錠された状態を示す図である。
図において、１は断路器の固定側コンタクト、２は接地開閉器の固定側コンタクト、３は断路器の固定側コンタクト１、あるいは接地開閉器の固定側コンタクトと接触する可動側回転ブレードである。
断路器本体は固定側コンタクト１と可動側回転ブレード３および上記固定側コンタクト１，２に接続された図示しない導体から構成されている。また、接地開閉器本体は固定側コンタクト２と可動側回転ブレード３および固定側コンタクト１、回転ブレード３に接続された図示しない導体から構成されている。
【０００３】
４はモータ、５は一端がモータ４側に接続されており、他端にはギア部を有するモータ軸、６はモータ軸５に連結されているロックカム、７はかさ歯車、８は歯車、９はモータ４から伝達された動力により回転する回転開閉軸である。４〜９は断路器および接地開閉器の開閉操作（開路、閉路するための操作）をするための開閉装置であり、簡略化して図示している。４〜９に示す操作装置により、回転開閉軸９を介して断路器および接地開閉器の開路、閉路が行なわれる。
【０００４】
＜断路器、接地開閉器の動作説明＞
図７に断路器、接地開閉器とも開位置の状態を示す。
（１）断路器の閉路動作
図７において、モータ４およびモータ軸５が図示しない外部からの断路器を閉路（断路器閉路ロック）するための電気信号によって時計方向へ回転すると、モータ軸５の回転は先端の歯車からかさ歯車７に伝わる。かさ歯車７の回転は歯車８に伝わり、回転開閉軸９および可動側回転ブレード３を反時計方向に回転させる。可動側回転ブレード３は断路器の固定側コンタクト１の方向に回転し、固定側コンタクト１に接触し回転挿入される。すると、可動側回転ブレード３に接続された導体（図示せず）と断路器の固定側コンタクト１に接続された導体（図示せず）が導通状態となり、電気回路が閉路状態になる。閉路状態になると、モータ４は図示しないリミットスイッチで自動停止するように構成されている。
【０００５】
（２）断路器の開路動作
上記（１）の断路器閉路状態から、モータ４およびモータ軸５が外部からの断路器を開路（断路器開路ロック）するための電気信号により半時計方向へ回転すると、この回転は回転開閉軸９の先端の歯車から伝達され、かさ歯車７を反時計方向に回転させる。かさ歯車７の回転は、回転開閉軸９および可動側回転ブレード３を時計方向に回転させる。断路器の固定側コンタクト１に接触した状態にある可動側回転ブレード３は、時計方向に回転し、固定側コンタクト１から回転開離する。これによって、電気回路が開路状態となり図７の状態にもどる。
【０００６】
（３）接地開閉器の閉路動作
上記（２）の状態から、モータ４およびモータ軸５が外部からの接地開閉器を閉路（接地開閉器閉路ロック）するための電気信号により、さらに反時計方向に回転すると、かさ歯車７も反時計方向に回転する。かさ歯車７は回転開閉軸９と可動側回転ブレード３を時計方向に回転させる。可動側回転ブレード３は接地開閉器の固体側コンタクト２に回転挿入される。これによって、接地開閉器は閉路状態となり、可動側回転ブレード３に接続された導体（図示せず）は接地開閉器の固定側コンタクト２を通して大地に接地される。
【０００７】
（４）接地開閉器の開路動作
上記（３）の接地開閉器が閉路されている状態から、モータ４およびモータ軸５が、外部からの接地開閉器を開路（接地開閉器開路ロック）するための電気信号によって時計方向に回転すると、この回転は回転開閉軸９および可動側回転ブレード３を反時計方向に回転させる。可動側回転ブレード３は反時計方向に回転することにより、断路器の固定側コンタクト１から回転開離し、電気回路の接地がとかれ、図７の状態にもどる。
【０００８】
＜操作装置に設けられた鎖錠装置の説明＞
電気所において、電気回路の点検や機器点検中には断路器や接地開閉器の操作を行なえないようにするために、操作装置の操作を機械的に鎖錠（ロック）する装置が要求される。図７は操作装置に設けられている鎖錠装置である。図において、１０は鍵（たとえば、南京錠を用いる）、１１はロック板、１２はロックピン、６はロックカム、鎖錠装置は、これらの鍵１０、ロック板１１、ロックピン１２、ロックカム６から構成される。
また、１３はロックピン１２の下方に設けた鎖錠穴、１４はロック板に設けられた鎖錠穴、１５はロックカム６に設けた溝である。鎖錠装置により鎖錠（ロック）するときは、所定の位置に固定されているロック板１１の鎖錠穴１４と、ロックピン１２を上方にずらし鎖錠穴１３との位置を合わせ、その鎖錠穴に鍵１０（たとえば、南京錠）を通し、鍵をしめる。
【０００９】
鎖錠の動作を具体的に説明する。ロックピン１２を上方に持ち上げ、鎖錠穴１３をロック板１１の鎖錠穴１４に合わすように移動させると、ロックピン１２がロックカム６の溝１５に挿入される。図８が鎖錠された状態を示す図である。この状態においては、万一外部からの誤指令によりモータ４が回転させられた場合でも、ロックピン１２がロックカム６およびモータ軸５の回転を阻止し、操作装置を機械的に鎖錠している。このようにして断路器、接地開閉器の開閉操作を鎖錠する。
【００１０】
ロックピン１２を上方へ移動させたあとの固定は、ロックピン１２の鎖錠穴１３と所定の位置に固定して設けられたロック板１１の鎖錠穴１４に鍵１０を通すことにより行なう。機械的鎖錠の解除は、鍵１０をはずし、ロックピン１２を下方に移動させ、ロックカムの溝１５への挿入を解除することで行なう。
【００１１】
【発明が解決しようとする課題】
上記のような従来の開閉器用操作装置の鎖錠装置は、
ロックピン１２によってモータ４の開閉回転軸９を回転しないように固定し、鎖錠する構成であって、断路器、接地開閉器の開閉操作を両方同時に行なうようにしている。したがって、断路器のみ、あるいは接地開閉器のみの開閉操作を個別に鎖錠することができないという問題点があった。
【００１２】
この発明は、上記のような問題点を解消するためになされたものであって、現状の開閉器の操作装置の基本動作を変更せずに断路器、接地開閉器の開閉操作と開閉操作の鎖錠を個別に行なえるようにした開閉器用操作装置を得ることを目的とする。
【００１３】
【課題を解決するための手段】
第１の発明に係る開閉器用操作装置は、断路器の固定側コンタクト、あるいは接地開閉器の固定側コンタクトに接触する断路器・接地開閉器共用の可動側回転ブレードと、この可動側回転ブレードの一端に取り付けられ、可動側回転ブレードを回転運動させるための回転軸と、この回転軸を回転させるための駆動手段とを有する開閉器用操作装置において、回転軸に取り付けられ、外周の一部に円弧状の溝を有する第１のカムと、外周の一部に円弧状の溝を有し、この溝の一端と第１のカムに設けられた溝の一端がほぼ一致する位置に並んで回転軸に取り付けられた第２のカムと、第１のカムに設けられた溝に当接する当接部を有するとともに、この溝に当接した状態を保持可能な第１のロック手段と、第２のカムに設けられた溝に当接する当接部を有するとともに、この溝に当接した状態を保持可能な第２のロック手段とを有する回転制御手段を備え、可動側回転ブレードを断路器の固定側コンタクト、あるいは接地開閉器の固定側コンタクトのいずれか一方にのみ接触可能とするように、回転軸の回転を規制するものである。
【００１４】
第２の発明に係る開閉器用操作装置において、可動側回転ブレードは、断路器の固定側コンタクトと接地開閉器の固定側コンタクトから等距離の位置を回転中心とし、第１のカム、第２のカムに設けられた円弧状の溝の長さが回転中心となす角度を、断路器の固定側コンタクトから接地開閉器の固定側コンタクトまで回転させて接触させるために必要な回転角度のほぼ１／２としたものである。
【００１５】
第３の発明に係る開閉器用操作装置において、可動側回転ブレードは、断路器の固定側コンタクトまで到達するのに必要な回転角度と、接地開閉器の固定側コンタクトまで到達するのに必要な回転角度が等しくなる位置を中立の位置とし、その中立の位置から可動側回転ブレードを断路器の固定側コンタクトに接触する位置まで回転させたときに、第１のロック手段の当接部と第１のカムが当接する位置に、この当接部と嵌合する溝を設けたものである。
【００１６】
第４の発明に係る開閉器用操作装置において、可動側回転ブレードは、断路器の固定側コンタクトまで到達するのに必要な回転角度と、接地開閉器の固定側コンタクトまで到達するのに必要な回転角度とが等しくなる位置を中立の位置とし、その中立の位置から可動側回転ブレードを接地開閉器の固定側コンタクトに接触する位置まで回転させたときに、第２のロック手段の当接部と第２のカムが当接する位置に、この当接部と嵌合する溝を設けたものである。
【００１７】
【発明の実施の形態】
実施の形態１．
図１はこの発明の実施の形態１による開閉器用操作装置の鎖錠装置を示すものである。図において、１は断路器の固定側コンタクト、２は接地開閉器の固定側コンタクト、３は断路器、接地開閉器共用の可動側回転ブレードである。
断路器本体は固定側コンタクト１と可動側回転ブレード３および上記１，２に接続された導体（図示せず）から構成されている。また、接地開閉器本体は固定側コンタクト２と可動側回転ブレードおよび上記１，３に接続された導体（図示せず）から構成される。
【００１８】
以下に示す符号は、断路器および接地開閉器を開閉操作する操作装置に関するものであり、簡略して図示している。４はモータ、５はモータ軸、７はかさ歯車、８は歯車、９は回転開閉軸、１６は回転開閉軸９の軸中心に固定され回転開閉軸９と同じ回転動作を行なう円盤状の板カムからなる第１のカム、１７は第１のカム１６の円周上の一部に設けられた溝、１８は第１のカム１６と同じ回転軸に固定された円盤状の板カムからなる第２のカムである。たとえば、モータ４、モータ軸５、かさ歯車７、歯車８を可動側回転ブレード３を駆動するための駆動手段という。歯車８は後述の図２に示すように、間欠歯車となっていて、細かい間隔の歯とその歯に比べて大きい歯の組み合わせからなる歯車となっている。
図２はかさ歯車７と歯車８の状態を示す図である。図２に示されたかさ歯車７と歯車８の歯車の噛み合いを示した図は、右から断路器が「入り」の状態、接地開閉器と断路器が「切り」の状態、接地開閉器が「入り」の状態を示している。
【００１９】
１９は第２のカム１８の円周上の一部に設けられた溝、２０は第１のカム１６に設けられた溝１７に先端部を当接させるようにした第１のロックピン、２１は第２のカム１８に設けられた溝１９に先端部を当接させるようにした第２のロックピンである。２４は第１のロックピン２０を固定するためのロック板、２５は第２のロックピン２１を固定するためのロック板である。
第１のカム１６、第２のカム１８の位置関係は、第１のカム１６の溝の一端と第２のカム１８の溝の一端とがほぼ同位置に並ぶように、第１のカム１６と第２のカム１８を並べて開閉回転軸９に取り付けられている（図１参照）。
また、ほぼ同位置に並んだ溝の一端から、第１のカム１６の円弧状の溝１７は上方向に延びており、その長さは、固定側コンタクト１と固定側コンタクト２の間で可動する可動側回転ブレード３の回転可能な角度のほぼ１／２を中心角度とする円弧の長さに等しい。また、第２のカム１８の円弧状の溝１９は、下方向に延びており、その長さは、第１のカム１６の溝１７の長さに等しい。
【００２０】
また、溝１７の長さは、固定側コンタクト１と固定側コンタクト２の間のニュートラルな所定の位置にある可動側回転ブレード３を回転させて、固定側コンタクト２に到達するのに必要な回転角に相当する長さ（回転角を中心角とする円弧の長さに相当）とすればよい。同様に、溝１９の長さは、所定の位置にある可動側回転ブレード３を回転させて、固定側コンタクト１に到達するのに必要な回転角に相当する長さ（回転角を中心角とする円弧の長さに相当）とすればよい。可動側回転ブレード３の所定の位置は、固定側コンタクト１と固定側コンタクト２の中間となる角度の位置としても良いし、固定側コンタクト１寄り、あるいは固定側コンタクト２寄りの位置を基準となる始点の位置としてもよい。この可動側回転ブレード３の角度位置と、固定側コンタクト１，２の位置に応じて、溝の長さを変えれば良い。
【００２１】
図３において、第１のカム１６に設けられた円弧状の溝１７の中心角度θ１は、中立の位置にある可動側回転ブレード３を接地開閉器の固定側コンタクト２に接触させるために必要な回転角度θ１と同等となっている。また、第２のカム１８に設けられた円弧状の溝１９の中心角度θ２は、中立の位置にある可動側回転ブレード３を断路器の固定側コンタクト１に接触させるために必要な回転角度θ２と同等になっている。
第１のカム１６に設けた溝１７の右端と第２のカム１８に設けた溝１９の左端がほぼ同一線上に並ぶように第１、第２のカム１６，１８を回転開閉軸９に配置固着している。第１のカム１６に設けた溝１７は断路器を閉路するために可動側回転ブレードを回転させる方向である半時計回転方向に溝幅を扇状に広げた形状となっている。また、第２のカム１８に設けた溝１９は接地開閉器を閉路するために可動側回転ブレード３を回転させる方向である時計回転方向であって、第１のカム１６に設けた溝１９と相反する方向に溝幅を扇状に広げた形状となっている。
【００２２】
＜断路器、接地開閉器の動作説明＞
図示しない外部からの開閉操作を行なうための電気指令で、モータ４が回転し、回転開閉軸９を介して断路器及び接地開閉器が開閉動作を行うことは図７に示した従来の装置と同様である。この場合、第１のロックピン２０と第２のロックピン２１は第１のカム１６、第２のカム１８には当接しておらず、第１のカム１６、第２のカム１８の回転を規制するものはない。
【００２３】
＜操作装置に設けられた鎖錠装置の説明＞
電気所では電気回路の点検や機器点検中に、断路器や接地開閉器を開路、あるいは閉路するための操作が行なえないように開閉器用操作装置の操作を機械的に鎖錠する装置が必要となる。
（１）断路器の閉路操作のみの機械的鎖錠
本発明による開閉器用操作装置は鎖錠装置を備えており、従来例の問題点を鑑みて、断路器のみ、又は接地装置のみの機械的鎖錠が行なえることを可能としている。
【００２４】
図３に図１で示した断路器、接地開閉器、第１のカム１６、第２のカム１８、第１のロックピン２０、第２のロックピン２１、ロック板２４，２５を示す。ロック板２４とロック板２５は回転開閉軸９の軸中心から同じ距離だけ離れて設けられ、固定されている。第１のロックピン２０の後端部には、ロック板２４と鍵どめされる引っかけ部を有する。第１のロックピン２０を溝１７や溝２６に押し付け、当接させた状態のときは、引っかけ部はロック板２４の手前側（図の左側）に位置する（図３，５に示された第１のロックピン２０を参照）。第１のロックピン２０を溝２６から引き離して、固定するときは、第１のロックピン２０の後端部をロック板２４の後ろ側（図の右側）に引っかけて固定している（図３，５に示された第１のロックピン２０を参照）。
第１のロックピン２０はバネ性を有しており、溝１７などに押し付けられた状態ではロック板２４と溝１７との間で、外方向に伸びる力を有した状態で固定されている。第１のロックピン２０を溝から引き離したときは、伸びきった状態でロック板２４の後ろ側に引っかけられ、第１のロックピン２０の先端部は溝から離れた状態にある。
【００２５】
第２のロックピン２１の後端部には、ロック板２５と鍵どめされる引っかけ部を有する。第２のロックピン２１を溝１９や溝２７に押し付け、当接させた状態のときは、引っかけ部はロック板２５の手前側（図の左側）に位置する（図４，６に示された第１のロックピン２０を参照）。第２のロックピン２１を溝１９や溝２６から引き離して、固定するときは、第２のロックピン２１の後端部をロック板２５の後ろ側（図の右側）に引っかけて固定している（図４，６に示された第２のロックピン２１を参照）。
第２のロックピン２１はバネ性を有しており、溝１９などに押し付けられた状態ではロック板２５と溝１９との間で、外方向に伸びる力を有した状態で固定されている。第２のロックピン２１を溝から引き離したときは、伸びきった状態でロック板２５の後ろ側に引っかけられ、第２のロックピン２１の先端部は溝１９から離れた状態にある。
【００２６】
図１において、断路器のみを閉路するための操作を鎖錠（ロック）するには、第１のカムに設けた溝１７に向かって、第１のロックピン２０を左方に移動させ、溝１７に第１のロックピン２０を当接させる。第１のロックピン２０は、バネ性を有しており、溝１７に当接している部分とロック板２４との間で、外方向に伸びる力を有した状態で保持されている。
この状態で万一、外部からの誤信号でモータ４が駆動され、回転開閉軸９が反時計回転方向（断路器の閉路回転操作方向）に回転を行なおうとしても、第１のカム１６に設けた溝１７に当接している第１のロックピン２０が干渉し、開閉回転軸９の回転が阻止され、断路器の閉路回転操作を阻止することができる。
なお、溝１７に当接している第１のロックピン２０を、溝１７から引き離すときは、開錠し、第１のロックピン２０を右方向に動かし、第１のロックピンの後端部をロック板２４の右側に引っかければよい。図３における第２のロックピン２１は、その後端部がロック板２５の右側に引っかけられた状態である。
【００２７】
一方、上記の断路器の閉路操作を鎖錠した状態において、接地開閉器を閉路する場合、第１のロックピン２０と第１のカム１６の溝１７が干渉しないようにしてある。第１のカム１６の溝１７の長さは、接地開閉器を閉路する際に、中立の位置にある可動側回転ブレード３が接地開閉器の固定側コンタクトに接触するために必要な回転角度θ１に相当する長さだけある。したがって、開閉回転軸９が時計方向に回転させるときに、第１のカム１６の溝１７に第１のロックピン２０が当接したままの状態であっても、第１のカム１６の溝１７の長さ分だけ反時計方向に回転することは可能である。
このように、断路器を閉路するための操作が鎖錠されていても、接地開閉器を閉路するために開閉回転軸９を時計方向に回転させることは可能となっている。図示しない外部信号により、モータ４が駆動した場合であっても、回転開閉軸９は時計回転方向に回転することができ、接地開閉器の閉路操作は行なえる。なお、第１のロックピン２０の移動固定は、ロック板２４に鍵１０を通して行なう。
【００２８】
（２）接地開閉器の閉路操作のみの機械的鎖錠
図４に示す断路器および接地開閉器が開位置のとき、接地開閉器のみの閉路操作を鎖錠するためには、第２のロックピン２１を左方に移動させて、第２のカム１８に設けた溝１９に当接させる。
この状態で万一、外部からの誤信号でモータ４が駆動され、回転開閉軸９が時計回転方向(接地開閉器の閉路回転操作方向)に回転を行なおうとしても、第２のカム１８に設けた溝１９に当接させた第２のロックピン２１が干渉し、開閉回転軸９の回転が阻止され、接地開閉器の閉路回転操作が阻止される。
【００２９】
一方、上記の接地開閉器の閉路操作を鎖錠した状態において、断路器を閉路する場合、第２のロックピン２０と第２のカム１８の溝１９が干渉することなく、開閉回転軸９が反時計方向に回転できるようにしてある。
第２のカム１８の溝１９の長さは、断路器を閉路する際に、中立の位置にある可動側回転ブレード３が断路器の固定側コンタクト１に接触するために必要な回転角度θ２に相当する長さだけある。したがって、開閉回転軸９が反時計方向に回転させるときに、第２のカム１８の溝１９に第２のロックピン２１が当接したままの状態であっても、第２のカムに設けられた溝１９の長さ分だけ反時計方向に回転することは可能である。
【００３０】
このように、接地開閉器の閉路操作が鎖錠されていても、断路器を閉路するために開閉回転軸９を反時計方向に回転させることは可能となっている。図示しない外部信号により、モータ４が駆動した場合であっても、回転開閉軸９は反時計回転方向に回転することができ、断路器の閉路操作は行なえる。なお、第２のロックピン２１の移動固定は、ロック板２５に鍵１０を通して行なう。
【００３１】
実施の形態２．
図５、図６は、実施の形態２による開閉操作装置の鎖錠装置である。図において、２６は第１のカム１６に設けられた溝で、２７は第２のカム１８に設けられた溝である。第１のロックピン２０の先端部は溝２６に当接するとともに、嵌合する。第２のロックピン２１の先端部は溝２７に当接するとともに、嵌合する。第１、２のロックピンの先端部が溝２６，２７に当接し、嵌合することで、第１のカム１６、第２のカム１８の回転を抑止することができる。
第１のカム１６の円周上に設けた溝１７の右側中心に対して時計方向に断路器の開閉回転角度θ２に同等とした角度で中心を振り、溝幅は第１のロックピン２０の幅に同等とし、ロックピン２０の先端部と嵌合するようにしたもう一つの溝２６を設けている。
なお、溝１７の右側中心とは、図５において、溝１７の右端部と第１のロックピン２０の先端部が当接したときに、第１のロックピン２０の先端部の面の中心と第１のカム１６の中心を結んだ所をいう。その部分から、溝２６と第１のロックピン２０の先端部が当接したときに、先端部の面の中心と第１のカム１６の中心とを結んだところまでの角度が図示してあるようにθ２となるようにしている。
【００３２】
また、第２のカム１８の円周上に設けた溝１９の左側中心に対して反時計方向に接地開閉器の開閉回転角度θ１に同等とした角度で中心を振り、溝幅は第２のロックピン２１の幅に同等とし、ロックピン２１の先端部と嵌合するようにしたもう一つの溝２７を設けている。
なお、溝１９の左側中心とは、図５において、溝１９の左端部と第２のロックピン２１の先端部が当接したときに、第２のロックピン２１の先端部の面の中心と第２のカム１８の中心を結んだ所をいう。その部分から溝２７と第２のロックピン２１の先端部が当接したときに、先端部の面の中心と第２のカム１８の中心とを結んだところまでの角度が図示してあるようにθ１となるようにしている。
【００３３】
＜断路器が閉路状態での鎖錠＞
図５に示すように断路器が閉路状態の時に、第１のカム１６の溝２６と第１のロックピン２０を左方に移動させて嵌合させたとき、第１のロックピン２０により回転開閉軸９の回転は時計方向および反時計方向にも阻止されるので断路器は閉路状態で鎖錠される。また、前述のように、回転開閉軸９は回転できない状態にあるので、接地開閉器の開閉操作も鎖錠されることになる。
【００３４】
＜接地開閉器が閉路状態での鎖錠＞
図６に示すように接地開閉器が閉路状態の時に、第２のカム１８の溝１９と第２のロックピン２１を左方に移動し嵌合させたとき、回転開閉軸９の回転は時計方向および反時計方向にも第２のロックピン２１により回転が阻止されるので接地開閉器は閉路状態で鎖錠される。また、前述のように回転開閉軸９は回転できない状態にあるので、断路器の開閉操作も鎖錠される。
【００３５】
【発明の効果】
第１の発明によれば、断路器の固定側コンタクト、あるいは接地開閉器の固定側コンタクトに接触する断路器・接地開閉器共用の可動側回転ブレードと、この可動側回転ブレードの一端に取り付けられ、可動側回転ブレードを回転運動させるための回転軸と、この回転軸を回転させるための駆動手段とを有する開閉器用操作装置において、回転軸に取り付けられ、外周の一部に円弧状の溝を有する第１のカムと、外周の一部に円弧状の溝を有し、この溝の一端と第１のカムに設けられた溝の一端がほぼ一致する位置に並んで回転軸に取り付けられた第２のカムと、第１のカムに設けられた溝に当接する当接部を有するとともに、この溝に当接した状態を保持可能な第１のロック手段と、第２のカムに設けられた溝に当接する当接部を有するとともに、この溝に当接した状態を保持可能な第２のロック手段とを有する回転制御手段を備え、可動側回転ブレードを断路器の固定側コンタクト、あるいは接地開閉器の固定側コンタクトのいずれか一方にのみ接触可能とするように、回転軸の回転を規制するようにしたので、断路器の閉路、接地開閉器の閉路を個別に行なうことができる。さらに、第１のカムと第２のカムの回転を個別に抑止することができるので、断路器を閉路する動作を抑えながら、接地開閉器を閉路することは可能とし、また、接地開閉器を閉路する動作を抑止しながら、断路器を開閉することは可能とすることができる。
【００３６】
第２の発明によれば、可動側回転ブレードは、断路器の固定側コンタクトと接地開閉器の固定側コンタクトから等距離の位置を回転中心とし、第１のカム、第２のカムに設けられた円弧状の溝の長さが回転中心となす角度を、断路器の固定側コンタクトから接地開閉器の固定側コンタクトまで回転させて接触させるために必要な回転角度のほぼ１／２としているので、断路器を閉路する動作を抑えながら、接地開閉器を閉路することは可能とし、また、接地開閉器を閉路する動作を抑止しながら、断路器を閉路することは可能とすることができる。
【００３７】
第３の発明によれば、可動側回転ブレードは、断路器の固定側コンタクトまで到達するのに必要な回転角度と、接地開閉器の固定側コンタクトまで到達するのに必要な回転角度が等しくなる位置を中立の位置とし、その中立の位置から可動側回転ブレードを断路器の固定側コンタクトに接触する位置まで回転させたときに、第１のロック手段の当接部と第１のカムが当接する位置に、この当接部と嵌合する溝を設けたことにより、可動側回転ブレードを断路器の固定側コンタクトに接触させた状態を保持でき、誤動作を防ぐことができる。
【００３８】
第４の発明によれば、可動側回転ブレードは、断路器の固定側コンタクトまで到達するのに必要な回転角度と、接地開閉器の固定側コンタクトまで到達するのに必要な回転角度が等しくなる位置を中立の位置とし、その中立の位置から可動側回転ブレードを接地開閉器の固定側コンタクトに接触する位置まで回転させたときに、第２のロック手段の当接部と第２のカムが当接する位置に、この当接部と嵌合する溝を設けたことにより、可動側回転ブレードを接地開閉器の固定側コンタクトに接触させた状態を保持することができ、誤動作を防ぐことができる。
【図面の簡単な説明】
【図１】  本発明の実施の形態１による開閉器用操作装置の鎖錠装置の構成図である。
【図２】  歯車の噛み合い状態を示す図である。
【図３】  本発明の実施の形態１の断路器側の鎖錠装置の動作説明図である。
【図４】  本発明の実施の形態１の接地開閉器側の錠装置の動作説明図である。
【図５】  本発明の実施の形態２の断路器側の鎖錠装置の動作説明図である。
【図６】  本発明の実施の形態２の接地開閉器側の鎖錠装置の動作説明図である。
【図７】  従来の開閉器用操作装置の鎖錠装置の構成図である。
【図８】  従来の開閉器用操作装置の鎖錠装置の構成図である。
【符号の説明】
１  断路器の固定側コンタクト、    ２  接地開閉器の固定側コンタクト、
３  断路器、接地開閉器共用の可動側回転ブレード、    ４  モータ、
５  モータ軸、    ６  ロックカム、  ７  かさ歯車、  ８  歯車、
９  回転開閉軸、  １０  鍵、  １１  ロック板、  １２  ロックピン、
１３  鎖錠穴、  １４  鎖錠穴、  １５  溝、  １６  第１のカム、
１７  溝、  １８  第２のカム、１９  溝、  ２０  第１のロックピン、
２１  第２のロックピン、２２  溝、  ２３  溝、２４  ロック板、
２５  ロック板、２６  溝、 ２７  溝。
【図１】
0003969473.tif 000002
【図２】
0003969473.tif 000003
【図３】
0003969473.tif 000004
【図４】
0003969473.tif 000005
【図５】
0003969473.tif 000006
【図６】
0003969473.tif 000007
【図７】
0003969473.tif 000008
【図８】
0003969473.tif 000009